(57)【特許請求の範囲】
【請求項１】
後方の空間／交通の少なくとも一部を撮像可能な少なくとも１つのカメラ（３）と、該少なくとも１つのカメラ（３）によって撮像された画像部分を表示可能な少なくとも１つのモニタ（４）とを有し、該少なくとも１つのモニタ（４）が車室の方向に突出するサイドドア（６）のコンソール（５）に配置される、サイドミラーレスの後方確認装置（２）を備える自動車（１）であって、
前記コンソール（５）は、
前記サイドドア（６）が閉じている場合に少なくとも部分的にダッシュボード（８）の凹部（９）に係合し、
前記サイドドア（６）が閉じている場合に前記ダッシュボード（８）の換気ローゼット（１３）と連通し、サイドウインドウ（１４）への送風のため及び／又は前記モニタ（４）の冷却のために形成された換気ダクト（１２）を有し、
前記少なくとも１つのカメラ（３）は、
前記サイドドア（６）の外側に配置される棒状のカンチレバー（１９）により支持される
ことを特徴とする、自動車。
【請求項２】
前記サイドドア（６）が閉じている場合に、前記換気ダクト（１２）を前記換気ローゼット（１３）と気密に連結するシーリング（１５）、ゴムシーリング、又は発泡シーリングが前記換気ダクト（１２）の入口に配置されることを特徴とする、請求項１記載の自動車。
【請求項３】
前記換気ダクト（１２）は、前記モニタ（４）の後方に延びることを特徴とする、請求項１または請求項２記載の自動車。
【請求項４】
前記コンソール（５）内にスピーカ（１６）又は高音域用スピーカが一体化されることを特徴とする、請求項１〜請求項３のいずれか一項に記載の自動車。
【請求項５】
前記スピーカ（１６）は、フロントガラス（１７）の方向を向いていることを特徴とする、請求項４記載の自動車。
【請求項６】
前記コンソール（５）内に、アンテナ又はセンサの少なくとも１つの別の構成部材が配置されることを特徴とする、請求項１〜請求項５のいずれか一項に記載の自動車。
【請求項７】
前記サイドドア（６）が閉じている場合に、前記コンソール（５）は、サイド換気ノズル（１８）の上方で前記ダッシュボードに配置されることを特徴とする、請求項１〜請求項６のいずれか一項に記載の自動車。
【請求項８】
前記サイドドア（６）が閉じている場合に、前記換気ダクト（１２）を前記換気ローゼット（１３）と気密に連結するシーリング（１５）、ゴムシーリング、又は発泡シーリングが前記換気ダクト（１２）の入口に配置され、
前記コンソール（５）内にスピーカ（１６）又は高音域用スピーカが一体化され、
前記モニタ（４）、前記換気ダクト（１２）、前記シーリング（１５）、及び前記スピーカ（１６）を有する前記コンソール（５）は、事前組み立てされた、又は事前組み立て可能なアセンブリとして形成されることを特徴とする、請求項５〜請求項７のいずれか一項に記載の自動車。
【発明の詳細な説明】
【技術分野】
【０００１】
本発明は、後方の空間／交通の少なくとも一部を撮像可能な少なくとも１つのカメラと、その少なくとも１つのカメラによって撮像された画像部分を表示可能な少なくとも１つのモニタとを有し、その少なくとも１つのモニタは、車室の方向に突出するサイドドアのコンソールに配置される、サイドミラーレスの後方確認装置を有する自動車に関する。
【背景技術】
【０００２】
自動車の外側を向く対物レンズと、自動車の車室に配置され、対物レンズからカメラに送られる画像情報を表示可能なモニタと、を有する自動車のこのような交通監視装置は、特許文献１から公知である。
自動車に搭載された該自動車の後方を向く視角を有する少なくとも１つの電子カメラシステムを備えるサイドミラーレスの後方確認装置を有する自動車は、特許文献２から公知であり、自動車の後方を向く視角を有する、自動車に搭載された少なくとも１つの電子カメラシステムを備える。この電子カメラシステムの対物レンズは、常に自動車の輪郭からわずかに突出するように、かつ、カメラシステムによって記録された自動車の左後方領域の交通状況を表示するためにステアリングの左側に配置されたモニタと、カメラシステムによって記録された自動車の右後方領域の交通状況を表示するためにステアリングの右側に配置されたモニタと、を有するように、自動車の車体に配置されている。それによって、自動車の幅及び自動車の空気抵抗に悪影響を及ぼさずに、後方の交通状況の監視が自動車の両側面において可能になるとされている。
【０００３】
自動車の周囲の画像を撮像するために自動車に配置された少なくとも１つのカメラと、画像を処理するためにそのカメラと接続された電子装置と、当該電子装置と接続された画像を表示するための少なくとも１つの画像表示装置とを有する、自動車用画像処理装置が、特許文献３から公知である。画像表示装置は、自動車の乗員車室に面するＡピラーの領域に配置され、それによって、従来の外部バックミラーの視界と一致する領域に配置される。
【先行技術文献】
【特許文献】
【０００４】
【特許文献１】独国実用新案第２００  １０  １８０  Ｕ１号明細書
【特許文献２】独国特許第１０  ２００７  ０５４  ３４２  Ｂ３号明細書
【特許文献３】独国特許第１０  ２００７  ０３２  ５２７  Ａ１号明細書
【発明の概要】
【発明が解決しようとする課題】
【０００５】
先行技術の欠点は、このようなサイドミラーレスの後方確認装置がＡピラーの領域に配置される限り、ドライバーの視界がフロントガラスによって制約されることである。これに対して、ダッシュボード内に配置すると、それぞれのドライバーは、サイドミラーを見るためにそれまでの視角を移さなければならない。
【０００６】
したがって本発明の課題は、特に先行技術の欠点を克服し、しかも更なる機能的利点をもたらす、改良された、又は少なくとも代替の実施形態を提供することにある。
【課題を解決するための手段】
【０００７】
本課題は、本発明により、独立請求項１の主題によって解決される。有利な実施形態は、従属請求項の主題である。
【０００８】
本発明は、サイドミラーレスの後方確認装置のモニタを、一方ではドライバーの視界を制約せず、他方ではこれまで使用されていない自動車の設置スペースに配置し、それによって設置スペース技術上の利点が得られるという考えに基づいている。概ね、本発明による自動車は、後方の空間を撮像可能な少なくとも１つのカメラと、少なくとも１つのカメラによって撮像された画像部分を表示可能な少なくとも１つのモニタとを含む前述のサイドミラーレスの後方確認装置を備えている。本発明によれば、少なくとも１つのモニタは、車室の方向に突出するサイドドアのコンソールに配置され、このコンソールは、サイドドアが閉じている場合は少なくとも部分的にダッシュボードの凹部に係合する。それによって、人間工学的に適した、見慣れた高さに配置された、これまで使用されなかった位置にモニタを設置できるという大きな利点が得られる。この領域に配置することによって、Ａピラーの領域での外側への視界の遮りが最小限になり、そのためドライバーの視界を制約することがない。同時に、モニタを正確にこの位置に配置することで視認性と操作性が最適になる。モニタをサイドドアのコンソール内に一体化することによって、カメラとモニタとの間の干渉に影響され易いビデオケーブルを最短に抑えることができ、それによって干渉がない画像を確保できる。加えてこのことは、特に、ビデオケーブルはまた、移動範囲を持たず、例えば、ＥＭＣ干渉を引き起こすことがある他の電線と接触することもないため有利となる。
【０００９】
本発明により、コンソールは、サイドドアが閉じている場合にダッシュボードの換気ローゼットと連通し、特にサイドウインドウへの送風のため、及び／又はモニタの冷却のために形成された換気ダクトを備えている。したがって、このように形成されたコンソールは、この領域に配置されたモニタが換気を、特にサイドウインドウが曇らないようにすることを全く妨害しないため、機能性を大幅に高める。同時に、換気ローゼットからコンソールを通って送られる空気流によってサイドミラーレスの後方確認装置のモニタが冷却され、それによって、温度に敏感で、従来はこの目的には使用できなかった高解像度のモニタさえも使用することが可能になる。従来はダッシュボードの領域に配置されていた、サイドウインドウに送風するための換気ローゼットは、実質的に変更しないままでよいため、対応してダッシュボードに適合させる必要なく、バックミラーを事後にサイドミラーレスの後方確認装置に改造し、又はこれと交換することさえ可能になる。その際、コンソール内の換気ダクトとダッシュボードの換気ローゼットとの気密連結を確立できるようにするため、サイドドアが閉じている場合に換気ダクトを換気ローゼットと気密に連結するシーリング、特にゴムシーリング又は発泡シーリングが換気ダクトの入口に配置されている。
【００１０】
本発明に係る解決手段の好適な実施形態では、コンソール内にスピーカ、特に高音域用スピーカ（ツイータ）が一体化されている。したがってコンソールは、モニタを収容し、サイドウインドウへの送風及び／又はモニタの冷却のための換気ダクトを実施可能にするだけではなく、付加的にスピーカ、特に高音域用スピーカの設置スペースをも提供する。したがって、従来は通常ミラートライアングル内に配置される高音域用スピーカを簡単に動かしてコンソール内に配置することができ、それによってパッケージ上の利点が得られる。その上、例えばアンテナ、センサ、及び／又はハンズフリーマイクなどの構成部材をコンソール内に一体化することができる。このコンソールでは、これが事前組み立て式アセンブリとして製造可能であり、換気ダクト、モニタ、スピーカ、及びオプションの追加構成部材などの構成部品全体を備えていることからも、特に有利である。このような事前組み立て式アセンブリによって、この場合はコンソールを単に取り付け、特にねじ止めし、例えば、プラグ接続によって適宜に電気的に接続するだけでよいため、特に組み立てラインのサイクル時間を短縮するができる。前述の構成部品を有するコンソールの実際の組み立ては、例えば、納入業者において、又は別個の事前組み立てで行うことができる。
【００１１】
サイドドアの外側に、少なくとも１つのカメラを支持するカンチレバーを配置することが適切である。しかし、カメラは、最も好適な場合はピンの頭程度の大きさしかないため、このようなカンチレバーは、従来の外部バックミラーと比較してきわめて細く、したがって空気力学的に好適な状態にすることができる。モニタをサイドドア及び少なくとも１つのカメラの近傍に配置することによって、特に干渉の影響を受け易いビデオケーブルを短く抑えることができ、ひいては干渉のない受信、又は干渉のない画像が確保される。
【００１２】
本発明のその他の重要な特徴及び利点は従属請求項、図面、及び図面を参照した関連する図面の説明から明らかになる。
【００１３】
前述の、及び以下に更に記載する特徴はそのつど記載する組み合わせだけではなく、本発明の範囲を逸脱することなく別の組み合わせで、又は単独で使用できることが理解されよう。
【００１４】
本発明の好適な実施形態を図面で示し、以下に詳細に説明する。同一の参照符号は同一又は類似又は機能的に同一の構成部品を指す。
【図面の簡単な説明】
【００１５】
【図１】サイドドアが閉じている場合に車室に突出しているコンソールに配置されたモニタを有する本発明に係る自動車の概略内部図である。
【図２】図１と同様であるが、サイドドアが開かれている場合の概略内部図である。
【図３】コンソールの領域の自動車の概略断面図である。
【図４】本発明に係るサイドミラーレスの後方確認装置がない、すなわち先行技術の車室の概略図である。
【発明を実施するための形態】
【００１６】
図１〜図３に示すように、本発明による自動車１は、後方の空間又は後方の交通の少なくとも一部を撮像可能な少なくとも１つのカメラ３（図３を参照）と、少なくとも１つのカメラ３によって撮像された画像部分を表示可能な少なくとも１つのモニタ４と、を含む、サイドミラーレスの後方確認装置２を備えている。本発明によれば、少なくとも１つのモニタ４は、車室の方向に突出する、サイドドア６の内側にあるコンソール５に配置され、このコンソール５は、サイドドアが閉じている場合は少なくとも部分的にダッシュボード８の凹部９（特に図２及び図３を参照）に係合する。先行技術から既知のように、モニタをＡピラーに又はダッシュボード内に直線接続する場合とは異なり、本発明によりモニタをサイドドアの内側に配置すると、カメラ３とモニタ４とを互いに密接して配置することができ、それによってこれらの両方の構成部品３および４を結合するビデオケーブル１０が短いだけではなく、移動範囲がなくて済み、それが干渉のない受信に寄与する。ダッシュボード８のこの特定領域でコンソール５とモニタ４とをＡピラー７の下端の高さに配置することが、視認性及び操作性に関する最適な解決手段であり、特にドライバーの視界はまったく、又はほとんど制約されない。その上、モニタ４は、従来の自動車１’の場合に配置されている外部バックミラー１１’（図４を参照）とほぼ同じ位置に配置され、それによって人間工学的、及びドライバーの慣れの観点で最適に配置することができる。
【００１７】
図３を見ると、コンソール５は、サイドドア６が閉じている場合にダッシュボード８の換気ローゼット１３と連通し、特にサイドウインドウ１４に送風するため及び／又はモニタ４の冷却のために形成された換気ダクト１２を備えていることが分かる。その上、サイドドア６が閉じている場合に換気ダクト１２を換気ローゼット１３と気密に連結するシーリング１５、特にゴムシーリング又は発泡シーリングが換気ダクト１２の入口に配置されている。それによって、所望しないバイパスフローを避けることができる。その際、換気ダクト１２は、図３に示すようにモニタ４の背後に延びているため、このモニタ４を冷却することができる。
【００１８】
その上、後方確認装置２のコンソール５内にスピーカ１６、特に高音域用スピーカを一体化することができ、このスピーカ１６は、例えば自動車１のフロントガラス１７の方向を向き、それによって間接的な音響放射を生じることができる。その上、勿論、例えばアンテナ、センサ、及び／又はハンズフリーマイクをコンソール５内に一体化することができる。サイドドア６が閉じている場合、コンソール５は、及びコンソール５と共にモニタ４もまた、サイド換気ノズル１８（図１及び図３を参照）の上方に配置され、それによっても人間工学的に好適で、特に側方換気機能をも損なわずに配置される。
【００１９】
図３を参照すると、サイドドア６の外側に、少なくとも１つのカメラ３を支持するカンチレバー１９が配置されている。しかし、カメラ３は、外部バックミラー１１’（図４を参照）と比較して小さくしておくことができ、特にピンの頭程度の大きさしかない。そのため、このようなカンチレバー１９は極めて細く、したがって空気力学的に好適に形成することができる。
【００２０】
本発明に係る後方確認装置２によって、モニタ４の人間工学的に好適な配置が可能になり、さらにドライバーの視界をまったく、又はほとんど制約しない。モニタ４を本発明に係るコンソール５に一体化し、かつ対応する凹部９をダッシュボード８に設けることによって、サイドドア６が閉じている場合に、モニタ４が少なくとも部分的に凹部９内に埋め込まれて配置されるため、ドライバーの動きの自由度を制約する設置スペースは生じない。サイドドア６が閉じている場合、コンソール５は、同時に換気ダクト１２としても利用され、それによってコンソール５を通したサイドウインドウ１４への支障のない送風が確保される。しかしその際、換気ダクト１２によってサイドウインドウ１４への送風が可能になり、ひいては氷が付かない状態及び曇らない状態が確保されるだけではなく、付加的にモニタ４の冷却も可能になる。その上、コンソール５は、例えば、スピーカ１６及び／又はアンテナ、センサ、又はマイクなどの小部品について更に収納することができるため、その機能性を高めることができる。その際、コンソール５の形状構成を個々の自動車の設計バリエーションに適応させることができるため、本発明に係る後方確認装置２は、異なる車種の自動車に応用できる。図１を再び参照すると、モニタ４及びその後方に配置されているコンソール５は、フロントガラス１７の方向でもサイドウインドウ１４の方向でも視界を妨げることはなく、それによって当然、このような後方確認装置２の従来の実施形態と比較して、ドライバーの安全性が高まる。
【００２１】
従来の自動車１’に使用される外部バックミラー１１’と比較して、サイドウインドウ１４を通した視界はむしろ広がる。図４に示す先行技術から公知の自動車１’では、図１及び図３に示す本発明による自動車１と同じ部品には、同一の参照符号及びアポストロフィが付されている。
【図１】
0006346306.tif 000002
【図２】
0006346306.tif 000003
【図３】
0006346306.tif 000004
【図４】
0006346306.tif 000005